(57)【要約】【課題】無線通信システムで、リソースブロック割り当てに要するビット数を削減することができることを目的とする。【解決手段】移動局と無線基地局を有する無線通信システムにおいて、システム帯域を周波数領域で分割された複数のリソースブロックについて、リソースブロック番号を割り当てた同一の２次元テーブルを前記無線基地局と前記移動局に格納し、前記２次元テーブル内のリソースブロック番号の割り当てを示す割り当て情報を前記無線基地局から前記移動局に伝送する。【選択図】図５
2009224944.tif 000002
【特許請求の範囲】
【請求項１】
移動局と無線基地局を有する無線通信システムにおいて、
システム帯域を周波数領域で分割された複数のリソースブロックについて、リソースブロック番号を割り当てた同一の２次元テーブルを前記無線基地局と前記移動局に格納し、前記２次元テーブル内のリソースブロック番号の割り当てを示す割り当て情報を前記無線基地局から前記移動局に伝送する
ことを特徴とする無線通信システム。
【請求項２】
請求項１記載の無線通信システムにおいて、
前記割り当て情報は、前記２次元テーブルの縦軸割り当て情報と横軸割り当て情報を有する
ことを特徴とする無線通信システム。
【請求項３】
請求項２記載の無線通信システムにおいて、
前記２次元テーブルの空き領域に、前記２次元テーブルを用いない割り当てパターンを割り当てる
ことを特徴とする無線通信システム。
【請求項４】
請求項２記載の無線通信システムにおいて、
前記２次元テーブルの空き領域に、任意のリソースブロック番号を割り当てる
ことを特徴とする無線通信システム。
【請求項５】
請求項２記載の無線通信システムにおいて、
前記縦軸割り当て情報と横軸割り当て情報のいずれか一方の情報が特定の値の場合に、他方の情報を用いて複数の前記割り当てパターン又は複数の前記任意のリソースブロック番号を割り当てる
ことを特徴とする無線通信システム。
【請求項６】
請求項３又は４記載の無線通信システムにおいて、
前記縦軸割り当て情報と横軸割り当て情報の少なくともいずれか一方の情報を拡張して前記２次元テーブルの空き領域を作成する
ことを特徴とする無線通信システム。
【請求項７】
請求項１乃至６のいずれか１項記載の無線通信システムにおいて、
前記割り当て情報は、フォーマット情報を有し、
前記フォーマット情報で前記２次元テーブルを用いたリソースブロック番号の割り当てを行う第１モードと、番号が連続するリソースブロックの割り当てを行う第２モードとを前記フォーマット情報により切り替える
ことを特徴とする無線通信システム。
【請求項８】
移動局と無線基地局を有する無線通信システムの無線基地局において、
システム帯域を周波数領域で分割された複数のリソースブロックについて、リソースブロック番号を割り当てた前記移動局と同一の２次元テーブルと、
前記２次元テーブル内のリソースブロック番号の割り当てを示す割り当て情報を前記移動局に伝送する伝送手段を
有することを特徴とする無線基地局。
【請求項９】
移動局と無線基地局を有する無線通信システムの移動局において、
システム帯域を周波数領域で分割された複数のリソースブロックについて、リソースブロック番号を割り当てた前記無線基地局と同一の２次元テーブルと、
前記無線基地局から伝送された割り当て情報を用いて前記２次元テーブルを参照し、自移動局に割り当てられたリソースブロック番号を得るリソースブロック番号取得手段を
有することを特徴とする移動局。
【請求項１０】
移動局と無線基地局を有する無線通信システムのリソースブロック割り当て方法において、
システム帯域を周波数領域で分割された複数のリソースブロックについて、リソースブロック番号を割り当てた同一の２次元テーブルを前記無線基地局と前記移動局に格納し、前記２次元テーブル内のリソースブロック番号の割り当てを示す割り当て情報を前記無線基地局から前記移動局に伝送する
ことを特徴とするリソースブロック割り当て方法。
【発明の詳細な説明】
【技術分野】
【０００１】
本発明は、移動局と無線基地局を有する無線通信システム、その無線基地局と移動局及びリソースブロック割り当て方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、無線基地局と移動局との間において、ＬＴＥ（Ｌｏｎｇ  Ｔｅｒｍ  Ｅｖｏｌｕｔｉｏｎ）による無線通信システムが提案されている。
【０００３】
ＬＴＥでは、パケット交換型のアクセス方式が採用され、上りリンク、下りリンクともに周波数領域のスケジューリングによる無線リソースの割り当てが行われる（非特許文献１参照）。
【０００４】
下りリンクにおいては、送信帯域の中で、連続したサブキャリアとＯＦＤＭシンボルで区切られたブロックをリソースブロック（Ｒｅｓｏｕｒｃｅ  Ｂｌｏｃｋ：リソースブロック）と定義している。リソースブロック数（リソースブロック数）としては送信帯域幅に応じて６〜１１０の値となる。
【０００５】
下りリンク共有データチャネルは、トラヒックデータの伝送に用いられるチャネルであり、無線基地局のスケジューリングにより割り当てられたリソースブロックを用いて伝送される。下りリンク制御チャネルは、共有データチャネルの受信処理に必要な情報（リソースブロックの割り当て情報など）を伝送するために用いられるチャネルである。
【０００６】
３ＧＰＰでは、この制御チャネルで伝送する共通データチャネルのリソースブロック割り当て情報をどのようなデータで伝送するかが検討課題となっている。その一案として、リソースブロックを連続した複数のサブセットに分割し、サブセットの中でリソースブロックを指定するビットマップ情報と複数のサブセットから任意のサブセットを指定するビットマップ情報（ヘッダ）を用いて、制御チャネルで伝送するリソースブロック割り当て情報として定義している（非特許文献２参照）。
【０００７】
なお、無線基地局側から移動局側へリソースブロック割り当て情報を送信するシステムで、割り当て情報と使用可能リソースの初期値と所要ビット数の情報を送信する方法が考えられている（特許文献１参照）。また、ＭＳからＢＴＳへリソースブロック割り当て表を送信し、リソース管理の効率化を図るものが考えられている（特許文献２参照）。
【０００８】
更に、無線リソースの分割方法は、無線基地局が３次元空間において時間、周波数、符号面で構成する方法が考えられている（特許文献３参照）。また、下り回線において、無線リソースを同一サイズのリソースブロックに分割し、それぞれの割り当てリソースブロックの先頭から送信するスケジューリング方法が考えられている（特許文献４参照）。
【特許文献１】特開２００７−２８２０２１号公報
【特許文献２】特開２００１−２７５１５３号公報
【特許文献３】特開２００５−１１７５７９号公報
【特許文献４】特表２００６−５１５１４１号公報
【非特許文献１】３ＧＰＰ  ＴＳ３６．２１１  Ｖ８．０．０（２００７−０９）
【非特許文献２】３ＧＰＰ  ＴＳＧ−ＲＡＮ  ＷＧ１  ＃５０ｂｉｓ  Ｒ１−０７４２２１
【発明の開示】
【発明が解決しようとする課題】
【０００９】
従来のリソースブロックを連続した複数のサブセットに分割し、サブセットの中でリソースブロックを指定するビットマップ情報と複数のサブセットから任意のサブセットを指定するビットマップ情報（ヘッダ）を用いて、制御チャネルで伝送するリソースブロック割り当て情報とする方法では、リソースブロック割り当て情報のビット数が多くなるという問題があった。
【００１０】
開示の無線通信システムは、上記の点に鑑みなされたものであり、リソースブロック割り当てに要するビット数を削減することができることを目的とする。
【課題を解決するための手段】
【００１１】
開示の一実施態様による無線通信システムは、移動局と無線基地局を有する無線通信システムにおいて、
システム帯域を周波数領域で分割された複数のリソースブロックについて、リソースブロック番号を割り当てた同一の２次元テーブルを前記無線基地局と前記移動局に格納し、前記２次元テーブル内のリソースブロック番号の割り当てを示す割り当て情報を前記無線基地局から前記移動局に伝送する。
【００１２】
好ましくは、前記割り当て情報は、前記２次元テーブルの縦軸割り当て情報と横軸割り当て情報を有する。
【００１３】
開示の一実施態様による無線基地局は、移動局と無線基地局を有する無線通信システムの無線基地局において、
システム帯域を周波数領域で分割された複数のリソースブロックについて、リソースブロック番号を割り当てた前記移動局と同一の２次元テーブルと、
前記２次元テーブル内のリソースブロック番号の割り当てを示す割り当て情報を前記移動局に伝送する伝送手段を有する。
【００１４】
開示の一実施態様による移動局は、移動局と無線基地局を有する無線通信システムの移動局において、
システム帯域を周波数領域で分割された複数のリソースブロックについて、リソースブロック番号を割り当てた前記無線基地局と同一の２次元テーブルと、
前記無線基地局から伝送された割り当て情報を用いて前記２次元テーブルを参照し、自移動局に割り当てられたリソースブロック番号を得るリソースブロック番号取得手段を有する。
【００１５】
開示の一実施態様によるリソースブロック割り当て方法は、移動局と無線基地局を有する無線通信システムのリソースブロック割り当て方法において、
システム帯域を周波数領域で分割された複数のリソースブロックについて、リソースブロック番号を割り当てた同一の２次元テーブルを前記無線基地局と前記移動局に格納し、前記２次元テーブル内のリソースブロック番号の割り当てを示す割り当て情報を前記無線基地局から前記移動局に伝送する。
【発明の効果】
【００１６】
開示の無線通信システムによれば、リソースブロック割り当てに要するビット数を削減することができる。
【発明を実施するための最良の形態】
【００１７】
以下、図面に基づいて実施形態について説明する。
【００１８】
＜一実施形態＞
図１は、下りリンクのリソースブロックの一実施形態の構成図を示す。１リソースブロックは時間方向に７ＯＦＤＭシンボル、周波数方向に１２サブキャリアの領域である。
【００１９】
リソースブロック数は使用する周波数帯域により変わり、１．２５ＭＨｚ帯域幅であれば６リソースブロックとなり、２．５ＭＨｚ帯域幅であれば１２リソースブロックとなり、５ＭＨｚ帯域幅であれば２５リソースブロックとなり、１０ＭＨｚ帯域幅であれば５０リソースブロックとなり、１５ＭＨｚ帯域幅であれば７５リソースブロック、２２ＭＨｚ帯域幅であれば１１０リソースブロックとなる。
【００２０】
＜無線基地局の構成＞
図２は、無線基地局の一実施形態のブロック構成図を示す。同図中、移動局１〜Ｎ向けの送信データはそれぞれ符号化部１０−１〜１０−Ｎに供給されて符号化される。符号化された送信データは変調部１１−１〜１１−Ｎに供給され、各別に最適な変調方式で変調されてリソースブロックマッピング部１２に供給される。
【００２１】
スケジューラ１５は、例えば不揮発性メモリにリソースブロックテーブル１６を格納しており、スケジューラ１５はリソースブロックテーブル１６を参照して移動局１〜Ｎそれぞれの送信データを予め決められたリソースブロックにマッピングするようリソースブロックマッピング部１２を制御する。これにより、リソースブロックマッピング部１２は移動局１〜Ｎそれぞれの送信データを予め決められたリソースブロックにマッピングしてデータチャンネルとして送信部１９に供給する。
【００２２】
また、スケジューラ１５は移動局１〜Ｎそれぞれのマッピング状態を表すマッピング制御情報を符号化部１７に供給する。符号化部１７はマッピング制御情報を符号化し、符号化された制御情報は変調部１８において所定の変調方式で変調され、制御チャンネルとして送信部１９に供給される。送信部１９は、データチャンネルと制御チャンネルを多重してアンテナから送信する。
【００２３】
＜移動局の構成＞
図３は、移動局の一実施形態のブロック構成図を示す。同図中、受信部２１はアンテナで受信した信号をデータチャンネルと制御チャンネルに分離して、データチャンネルをリソースブロックデマッピング部２２に供給すると共に、制御チャンネルを復調部２３に供給する。
【００２４】
復調部２３は、制御チャンネルを復調して復号部２４に供給する。復号部２４は、復調された信号を復号して移動局１〜Ｎそれぞれのマッピング状態を表すマッピング制御情報を得て、リソースブロックマッピング判定部２５に供給する。
【００２５】
リソースブロックマッピング判定部２５は、例えば不揮発性メモリにリソースブロックテーブル２６を格納しており、このリソースブロックテーブル２６は無線基地局のリソースブロックテーブル１６と同一内容である。リソースブロックマッピング判定部２５はマッピング制御情報から自局に対するマッピング状態を表すマッピング制御情報を抽出し、抽出したマッピング制御情報でリソースブロックテーブル２６を参照して自局に割り当てられているリソースブロック情報（例えばリソースブロック番号）を得てリソースブロックデマッピング部２２に供給する。
【００２６】
これにより、リソースブロックデマッピング部２２はデータチャンネル内の自局に割り当てられているリソースブロックにマッピングされている情報を抽出して復調部２７に供給する。復調部２７はリソースブロックデマッピング部２２から供給された情報を復調して復号部２８に供給する。復号部２８は復調された信号を復号して自局向けの送信データを出力する。
【００２７】
＜第１実施形態＞
図４は、リソースブロックテーブルの第１実施形態の構成例を示す。この構成例は周波数帯域＝５ＭＨｚ（リソースブロック数＝２５）の場合を示しており、５×５のテーブル領域に順番にリソースブロック番号を割り当てた構成である。この図４に示すリソースブロックテーブルがリソースブロックテーブル１６，２６として使用される。
【００２８】
テーブルの横×縦の値及びリソースブロック番号の位置については、リソースブロック割り当ての柔軟性を考慮し自由に決めることができる。更に、無線基地局から移動局にテーブル情報を報知チャネル等により送信して、更新することができる。
【００２９】
同様にして、５ＭＨｚ以外の周波数帯域用についても、リソースブロック番号を割り当てた共通のリソースブロックテーブルを無線基地局と移動局で保持し、各周波数帯域のリソースブロックテーブルを、無線基地局から移動局に周波数帯域情報を報知チャネル等により送信して切り替えることができる。
【００３０】
また、上記実施形態は周波数帯域毎に１つのテーブルを定義しているが、周波数帯域毎に複数のテーブルを定義しておき、無線基地局から移動局に対しテーブル選択情報を送信しテーブルを切り替えることにより、更に柔軟なリソースブロック割り当てを行うことができる。
【００３１】
図５は、リソースブロック番号の割り当てを説明するための図を示す。同図中、割り当て情報は、５ビットの縦軸割り当て情報３１と、５ビットの横軸割り当て情報３２を有している。
【００３２】
縦軸割り当て情報３１及び横軸割り当て情報３２それぞれは、例えば値１の場合に割り当てありを表している。無線基地局のリソースブロックテーブル１６において、縦軸割り当て情報３１及び横軸割り当て情報３２が共に割り当てありの場合に、その交点位置のリソースブロック番号を該当する移動局に割り当てる。図５ではリソースブロック「７」とリソースブロック「８」を割り当てた場合を示している。この割り当ては無線基地局のスケジューラ１５において行われる。
【００３３】
図６は、図５に示す縦軸割り当て情報３１と横軸割り当て情報３２を結合した状態を示し、この１０ビットの割り当て情報３３が制御チャネルによって無線基地局から移動局へ伝送される。
【００３４】
図７は、割り当てられたリソースブロック番号の特定を説明するための図を示す。ここでは、図６の割り当て情報を受信した移動局が、無線基地局と同じリソースブロックテーブル２６を用いて、割り当てられたリソースブロック番号を特定する。
【００３５】
移動局のリソースブロックテーブル２６において、縦軸割り当て情報３１及び横軸割り当て情報３２が共に割り当てありの場合に、その交点位置のリソースブロック番号が移動局に割り当てられていると特定する。
【００３６】
このように、縦軸割り当て情報と横軸割り当て情報を送受信することでリソースブロック割り当てを行うことにより制御チャネルのデータ量の減少を図ることができる。
【００３７】
図８は、第１実施形態において、複数の移動局にリソースブロックを割り当てる様子を示す。同図中、無線基地局４０は移動局４１にリソースブロック番号「１〜３，６〜８」のリソースブロックを割り当てるため、縦軸割り当て情報「１１１００」と横軸割り当て情報「１１０００」からなる割り当て情報３３ａを生成して制御チャンネルで移動局４１に伝送する。
【００３８】
また、無線基地局４０は移動局４２にリソースブロック番号「１１〜２０」のリソースブロックを割り当てるため、縦軸割り当て情報「１１１１１」と横軸割り当て情報「００１１０」からなる割り当て情報３３ｂを生成して制御チャンネルで移動局４２に伝送する。
【００３９】
移動局４１では、割り当て情報３３ａの縦軸割り当て情報「１１１００」と横軸割り当て情報「１１０００」を用いてリソースブロックテーブル２６を参照し、縦軸割り当て情報及び横軸割り当て情報が共に割り当てあり（値１）である交点位置のリソースブロック番号「１〜３，６〜８」のリソースブロックが自移動局に割り当てられていることを特定する。
【００４０】
移動局４２では、割り当て情報３３ｂの縦軸割り当て情報「１１１１１」と横軸割り当て情報「００１１０」を用いてリソースブロックテーブル２６を参照し、縦軸割り当て情報及び横軸割り当て情報が共に割り当てあり（値１）である交点位置のリソースブロック番号「１１〜２０」のリソースブロックが自移動局に割り当てられていることを特定する。
【００４１】
＜第２実施形態＞
図９及び図１０は、リソースブロックテーブルの第２実施形態の構成例を示す。この構成例は周波数帯域＝１０ＭＨｚ（リソースブロック数＝５０）の場合を示しており、８×７のテーブル領域に順番にリソースブロック番号を割り当てた構成である。このリソースブロックテーブルがリソースブロックテーブル１６，２６に使用される。
【００４２】
割り当て情報は、８ビットの縦軸割り当て情報３４と、７ビットの横軸割り当て情報３５を有している。縦軸割り当て情報３４及び横軸割り当て情報３５それぞれは、例えば値１の場合に割り当てありを表している。
【００４３】
この場合、６箇所の空き領域（第７行第３列〜第８列）が発生する。この空き領域はリソースブロック割り当てパターン又は重複するリソースブロック番号の割り当てに用いる。
【００４４】
図９の構成例では、例えば第７行第３列に割り当てありを指定すると、リソースブロック番号「１〜１０」を割り当てるリソースブロック割り当てパターンとし、例えば第７行第４列に割り当てありを指定すると、リソースブロック番号「１１〜２１」を割り当てるリソースブロック割り当てパターンとする。つまり、リソースブロック割り当てパターンはリソースブロックテーブルを用いずにリソースブロック割り当てを行うものである。これにより、特定の連続したリソースブロック番号の割り当てが可能となり、リソースブロック番号割り当ての柔軟性（自由度）が増大する。
【００４５】
図１０の構成例では、第７行第３列〜第８列にリソースブロック番号「２３〜２８」を割り当てている。リソースブロック番号「２３〜２８」は第３行第７列〜第８列と第４行第１列〜第４列にも割り当てられており、割り当てが重複している。
【００４６】
図９の構成例でリソースブロック番号「２３〜２６」を割り当てようとした場合、縦軸割り当て情報「１１０００１１１」及び横軸割り当て情報「００１１００」とすると、リソースブロック番号「２３〜２６」の他に「１７、１８、３０〜３２」が誤って割り当てられるために実現できない。しかし、図１０の構成例では、縦軸割り当て情報「００１１１１００」及び横軸割り当て情報「００００００１」とすることにより、リソースブロック番号「２３〜２６」を割り当てることができる。
【００４７】
この実施形態における無線基地局から一又は複数の移動局への割り当て情報の伝送は、図８と同様にして行われる。この実施形態では送受信する情報量を増やすことなく、より柔軟なリソースブロック割り当てを行うことができる。
【００４８】
＜第３実施形態＞
ところで、第１実施形態又は第２実施形態では、縦軸割り当て情報３１，３４が全ビット値０、又は横軸割り当て情報３２，３５が全ビット値０となることはない。従って、全ビット値０の場合に特別な意味を持たせることが可能である。
【００４９】
図１１（Ａ）では、縦軸割り当て情報３１が全ビット値０の場合に、５ビットの横軸割り当て情報３２により３２種類のリソースブロック割り当てパターンを指定することができる。例えば縦軸割り当て情報３１が全ビット値０で、横軸割り当て情報３２が「０１０００」の場合は、例えば奇数のリソースブロック番号「１，３，…，２３，２５」を割り当てるものとする、等である。
【００５０】
図１１（Ｂ）では、横軸割り当て情報３２が全ビット値０の場合に、５ビットの縦軸割り当て情報３１により３１種類のリソースブロック割り当てパターンを指定することができる。例えば横軸割り当て情報３２が全ビット値０で、縦軸割り当て情報３１が「０００１１」の場合は、例えばリソースブロック番号「１〜６」を割り当てるものとする、等である。
【００５１】
このような構成は、第１実施形態に限らず第２実施形態についても適用でき、これによって、より柔軟なリソースブロック割り当てが可能となる。
【００５２】
＜第４実施形態＞
図１２は、リソースブロックテーブルの第４実施形態の構成例を示す。この構成例は周波数帯域＝５ＭＨｚ（リソースブロック数＝２５）の場合を示しており、６×６のテーブル領域に順番にリソースブロック番号を割り当てた構成である。このリソースブロックテーブルがリソースブロックテーブル１６，２６に使用される。
【００５３】
割り当て情報は、６ビットの縦軸割り当て情報３７と、６ビットの横軸割り当て情報３８を有している。縦軸割り当て情報３７及び横軸割り当て情報３８それぞれは、例えば値１の場合に割り当てありを表している。
【００５４】
この場合、１１箇所の空き領域（第６列と第６行）が発生する。この空き領域をリソースブロック割り当てパターン又は重複するリソースブロック番号の割り当てに用いる。
【００５５】
この実施形態における無線基地局から一又は複数の移動局への割り当て情報の伝送は、図８と同様にして行われる。この実施形態では送受信する情報量は増えるものの、より柔軟なリソースブロック割り当てを行うことができる。
【００５６】
＜第５実施形態＞
この実施形態は、リソースブロックテーブルの割り当て情報を送受信する第１モードと、番号が連続するリソースブロックの割り当て情報を送受信する第２モードとを切り替える機能を具備する。
【００５７】
図１３（Ａ），（Ｂ）に、この実施形態における割り当て情報５１の構成を示す。割り当て情報５１の先頭ビットはフォーマット情報ビット５２とされている。図１３（Ａ）に示すように、フォーマット情報ビット５２が値０の場合、その後に続くビット列は第１実施形態と同様に縦軸割り当て情報５３と横軸割り当て情報５４と定義する。
【００５８】
図１３（Ｂ）に示すように、フォーマット情報ビット５２が値１の場合、その後に続くビット列は番号が連続するリソースブロックの割り当て情報とする。番号が連続するリソースブロックの割り当て情報の前半５ビットは開始リソースブロック番号情報５５、後半５ビットはリソースブロック数情報５６と定義する。
【００５９】
この実施形態では、第１実施形態で割り当てることのできない、番号が連続するリソースブロックの割り当てパターンについても、１ビットの追加のみで、より柔軟に割り当てることが可能となる。
【００６０】
図１４は、第５実施形態において、複数の移動局にリソースブロックを割り当てる様子を示す。同図中、無線基地局６０は移動局６１にリソースブロック番号「１〜３，６〜８」のリソースブロックを割り当てるため、フォーマット情報ビット５２が値１で、縦軸割り当て情報５３が「１１１００」で、横軸割り当て情報５４が「１１０００」となる割り当て情報５１ａを生成して制御チャンネルで移動局６１に伝送する。
【００６１】
また、無線基地局６０は移動局６２に開始リソースブロック番号「９」からリソースブロック数「１１」を割り当てるため、フォーマット情報ビット５２が値１で、開始リソースブロック番号情報５５が「０１００１」、リソースブロック数情報５６が「０１０１１」となる割り当て情報５１ｂを生成して制御チャンネルで移動局６１に伝送する。
【００６２】
移動局６１では、割り当て情報５１ａの縦軸割り当て情報「１１１００」と横軸割り当て情報「１１０００」を用いてリソースブロックテーブル２６を参照し、縦軸割り当て情報及び横軸割り当て情報が共に割り当てあり（値１）である交点位置のリソースブロック番号「１〜３，６〜８」のリソースブロックが自移動局に割り当てられていることを特定する。
【００６３】
移動局６２では、割り当て情報５１ｂの開始リソースブロック番号情報「０１００１」とリソースブロック数情報「０１０１１」から、リソースブロック番号「９〜１９」のリソースブロックが自移動局に割り当てられていることを特定する。
【００６４】
＜第６実施形態＞
前述の番号が連続するリソースブロックの割り当て情報を送受信する第２モードの機能を拡張する実施形態について説明する。
【００６５】
図１５（Ａ）に示すように、フォーマット情報ビット５２が値１で、開始リソースブロック番号情報５５が「１１０１０〜１１１１１」、つまり、１０進表示で「２５〜３１」の場合は無効値（リソースブロックの総数が２５である場合）である。このため、開始リソースブロック番号情報５５が「１１０１０〜１１１１１」のそれぞれにおいて、リソースブロック数情報５６が「０００００〜１１１１１」の３２種類のリソースブロック番号又はリソースブロック割り当てパターンを指定することができる。
【００６６】
また、図１５（Ｂ）に示すように、フォーマット情報ビット５２が値１で、リソースブロック数情報５６が「０００００」の場合は無効値（リソースブロック数が０）である。このため、リソースブロック数情報５６が「０００００」において、開始リソースブロック番号情報５５が「０００００〜１１１１１」の３２種類のリソースブロック番号又はリソースブロック割り当てパターンを指定することができる。これによって、より柔軟なリソースブロック割り当てが可能となる。
【００６７】
図１６に、上記実施形態と従来例（非特許文献２）それぞれにおける、リソースブロック割り当てに要する総制御ビット数を示す。５ＭＨｚ帯域幅の場合、リソースブロック数は２５であり、上記実施形態では、縦軸割り当て情報と横軸割り当て情報は各５ビット、フォーマット情報ビットが１ビットの合計１１ビットの総制御ビット数となるのに対し、従来例では１４ビットの総制御ビット数であり、総制御ビット数を３ビット削減することが可能となる。
【００６８】
また、２２ＭＨｚ帯域幅の場合、リソースブロック数は１１０であり、上記実施形態では、縦軸割り当て情報１１ビット、横軸割り当て情報１０ビット、フォーマット情報ビットが１ビットの合計２２ビットの総制御ビット数となるのに対し、従来例では３２ビットの総制御ビット数であり、総制御ビット数を１０ビット削減することが可能となる。
【００６９】
なお、上記実施形態では、伝送手段の一例として、符号化部１７，変調部１８，送信部１９を用い、リソースブロック番号取得手段の一例として、復調部２３，復号部２４，リソースブロックマッピング判定部２５を用いている。
（付記１）
移動局と無線基地局を有する無線通信システムにおいて、
システム帯域を周波数領域で分割された複数のリソースブロックについて、リソースブロック番号を割り当てた同一の２次元テーブルを前記無線基地局と前記移動局に格納し、前記２次元テーブル内のリソースブロック番号の割り当てを示す割り当て情報を前記無線基地局から前記移動局に伝送する
ことを特徴とする無線通信システム。
（付記２）
付記１記載の無線通信システムにおいて、
前記割り当て情報は、前記２次元テーブルの縦軸割り当て情報と横軸割り当て情報を有する
ことを特徴とする無線通信システム。
（付記３）
付記２記載の無線通信システムにおいて、
前記２次元テーブルの空き領域に、前記２次元テーブルを用いない割り当てパターンを割り当てる
ことを特徴とする無線通信システム。
（付記４）
付記２記載の無線通信システムにおいて、
前記２次元テーブルの空き領域に、任意のリソースブロック番号を割り当てる
ことを特徴とする無線通信システム。
（付記５）
付記２記載の無線通信システムにおいて、
前記縦軸割り当て情報と横軸割り当て情報のいずれか一方の情報が特定の値の場合に、他方の情報を用いて複数の前記割り当てパターン又は複数の前記任意のリソースブロック番号を割り当てる
ことを特徴とする無線通信システム。
（付記６）
付記３又は４記載の無線通信システムにおいて、
前記縦軸割り当て情報と横軸割り当て情報の少なくともいずれか一方の情報を拡張して前記２次元テーブルの空き領域を作成する
ことを特徴とする無線通信システム。
（付記７）
付記１乃至６のいずれか１項記載の無線通信システムにおいて、
前記割り当て情報は、フォーマット情報を有し、
前記フォーマット情報で前記２次元テーブルを用いたリソースブロック番号の割り当てを行う第１モードと、番号が連続するリソースブロックの割り当てを行う第２モードとを前記フォーマット情報により切り替える
ことを特徴とする無線通信システム。
（付記８）
付記７記載の無線通信システムにおいて、
前記第２モードにおける前記割り当て情報は、開始リソースブロック番号情報とリソースブロック数情報を有する
ことを特徴とする無線通信システム。
（付記９）
付記８記載の無線通信システムにおいて、
前記開始リソースブロック番号情報とリソースブロック数情報のいずれか一方の情報が特定の値の場合に、他方の情報を用いて複数の前記割り当てパターン又は複数の前記任意のリソースブロック番号を割り当てる
ことを特徴とする無線通信システム。
（付記１０）
移動局と無線基地局を有する無線通信システムの無線基地局において、
システム帯域を周波数領域で分割された複数のリソースブロックについて、リソースブロック番号を割り当てた前記移動局と同一の２次元テーブルと、
前記２次元テーブル内のリソースブロック番号の割り当てを示す割り当て情報を前記移動局に伝送する伝送手段を
有することを特徴とする無線基地局。
（付記１１）
移動局と無線基地局を有する無線通信システムの移動局において、
システム帯域を周波数領域で分割された複数のリソースブロックについて、リソースブロック番号を割り当てた前記無線基地局と同一の２次元テーブルと、
前記無線基地局から伝送された割り当て情報を用いて前記２次元テーブルを参照し、自移動局に割り当てられたリソースブロック番号を得るリソースブロック番号取得手段を
有することを特徴とする移動局。
（付記１２）
移動局と無線基地局を有する無線通信システムのリソースブロック割り当て方法において、
システム帯域を周波数領域で分割された複数のリソースブロックについて、リソースブロック番号を割り当てた同一の２次元テーブルを前記無線基地局と前記移動局に格納し、前記２次元テーブル内のリソースブロック番号の割り当てを示す割り当て情報を前記無線基地局から前記移動局に伝送する
ことを特徴とするリソースブロック割り当て方法。
【図面の簡単な説明】
【００７０】
【図１】下りリンクのリソースブロックの一実施形態の構成図である。
【図２】無線基地局の一実施形態のブロック構成図である。
【図３】移動局の一実施形態のブロック構成図である。
【図４】リソースブロックテーブルの第１実施形態の構成例を示す図である。
【図５】リソースブロック番号の割り当てを説明するための図である。
【図６】割り当て情報を示す図である。
【図７】割り当てられたリソースブロック番号の特定を説明するための図である。
【図８】複数の移動局にリソースブロックを割り当てる様子を示す図である。
【図９】リソースブロックテーブルの第２実施形態の構成例を示す図である。
【図１０】リソースブロックテーブルの第２実施形態の構成例を示す図である。
【図１１】割り当て情報を示す図である。
【図１２】リソースブロックテーブルの第４実施形態の構成例を示す図である。
【図１３】割り当て情報を示す図である。
【図１４】複数の移動局にリソースブロックを割り当てる様子を示す図である。
【図１５】割り当て情報を示す図である。
【図１６】実施形態と従来例の対比を行うための図である。
【符号の説明】
【００７１】
１０−１〜１０−Ｎ，１７  符号化部
１１−１〜１１−Ｎ  変調部
１２  リソースブロックマッピング部
１５  スケジューラ
１６  リソースブロックテーブル
１８  変調部
１９  送信部
２１  受信部
２２  リソースブロックデマッピング部
２３  復調部
２４  復号部
２５  リソースブロックマッピング判定部
２６  リソースブロックテーブル
２７  復調部
２８  復号部
【図１】
2009224944.tif 000003
【図２】
2009224944.tif 000004
【図３】
2009224944.tif 000005
【図４】
2009224944.tif 000006
【図５】
2009224944.tif 000007
【図６】
2009224944.tif 000008
【図７】
2009224944.tif 000009
【図８】
2009224944.tif 000010
【図９】
2009224944.tif 000011
【図１０】
2009224944.tif 000012
【図１１】
2009224944.tif 000013
【図１２】
2009224944.tif 000014
【図１３】
2009224944.tif 000015
【図１４】
2009224944.tif 000016
【図１５】
2009224944.tif 000017
【図１６】
2009224944.tif 000018